(57)【特許請求の範囲】
【請求項１】
圧縮符号化された映像信号を含むデータが転送される内部バスと、
所定のアナログ映像信号規格で規定される映像の１水平ラインをなす期間内で伝送可能なデジタルデータの伝送単位となるデータ量を複数に分割し、分割されたデータ量を有する各領域の少なくとも１つのデータ領域に上記圧縮映像信号を含むデータを配置させ、上記伝送単位を上記所定のアナログ映像信号規格の同期信号に同期させ、上記少なくとも１つのデータ領域に配置された上記圧縮映像信号を含むデータを上記内部バス上に内部転送データとして転送されるよう制御するデータ転送制御部と
を備える編集装置。
【請求項２】
上記データ転送制御部は、上記複数に分割された各領域に上記圧縮映像信号を含むデータの複数チャネルをそれぞれ配置させる請求項１記載の編集装置。
【請求項３】
上記データ転送制御部は、上記分割された各領域に配置された上記内部転送データを上記所定のアナログ映像信号規格の１水平ラインをなす期間と等しい長さに再配置させ上記内部転送データに同期させて、外部に出力データとして出力させるよう制御する請求項１記載の編集装置。
【請求項４】
上記データ転送制御部は、上記分割された各領域に挿入される上記映像信号を含む同じチャネルのデータを、複数の上記領域に挿入させ、上記データを見かけ上倍速転送させる請求項３記載の編集装置。
【請求項５】
上記圧縮映像信号を含むデータの１フレーム分が、上記所定のアナログ映像信号規格で規定される映像の１フレーム分に相当するライン数の上記伝送単位により、垂直同期に同期して上記内部バスに転送される請求項１記載の編集装置。
【請求項６】
上記映像信号を含むデータは、映像の垂直方向に等分割され、該等分割された各データに対して、上記所定のアナログ映像信号規格の１水平ラインをなす期間と等しい長さの上記伝送単位を複数に分割し、分割された各領域に入力されたデータを配置させる請求項５記載の編集装置。
【請求項７】
所定のアナログ映像信号規格で規定される映像の１水平ラインをなす期間内で伝送可能なデジタルデータの伝送単位となるデータ量を複数に分割する第１のステップと、
上記第１のステップで分割されたデータ量を有する各領域の少なくとも１つのデータ領域に上記圧縮映像信号を含むデータを配置させ、上記伝送単位を上記所定のアナログ映像信号規格の同期信号に同期させ、上記少なくとも１つのデータ領域に配置された上記圧縮映像信号を含むデータを内部バスに内部転送データとして転送する第２のステップと
を有するデータ伝送方法。
【請求項８】
上記複数に分割された各領域に上記圧縮映像信号を含むデータの複数チャネルをそれぞれ配置させる請求項７記載のデータ伝送方法。
【発明の詳細な説明】
【０００１】
【発明の属する技術分野】
本発明は、デジタル映像信号を編集し、あるいは伝送する編集装置およびデータ伝送方法に関する。
【０００２】
【従来の技術】
テレビジョン放送用番組等の映像は、磁気テープに収録された素材データを編集して製作されるのが通常である。編集作業は、放送用の高品質な素材テープを用いて編集を行うオンライン編集と、編集用のテープにコピーして粗編集を行うオフライン編集に分けられる。通常は、貴重な素材テープを使用しないオフライン編集が行われる。
【０００３】
編集作業に用いられる編集装置は、近年では、パーソナルコンピュータをベースにしたデジタル編集装置が普及している。デジタル編集装置は、映像データを記憶するためのハードディスク等を用いた記憶装置とデジタル画像処理装置を備え、デジタルビデオテープレコーダ（デジタルＶＴＲ）から上記のハードディスクに映像データを転送した後は外部機器と独立したタイミングで編集動作を行うことができるものである。このような編集方法はノンリニア編集と呼ばれている。
【０００４】
ノンリニア編集は、編集装置に接続された外部映像機器と同期をとる必要がないために便利な方法であるが、高品質の編集映像が必要とされるような場合には、磁気テープから映像を再生して編集（リニア編集）するほうが良いこともある。このため、ノンリニア編集とリニア編集とが可能なハイブリッド型の編集装置が望まれている。
【０００５】
しかし、ハイブリッド型の編集装置を構成するためには、編集装置に接続されるＶＴＲ等の外部映像機器と、編集装置内のハードディスク装置との間で、映像データを同期転送する必要があるため、同期制御を容易かつ確実に行うことができるデータ伝送方法が必要であった。さらに、長時間の作業を必要とする編集作業の迅速・効率化のために、上記の同期転送を、より高速に行えることも望まれている。
【０００６】
本発明は、上記の実情に鑑みてなされたものであり、外部の映像機器からの映像信号に同期して、高速にデータ転送を行うことができる編集装置およびデータ伝送方法を提供することを目的とする。
【０００７】
【課題を解決するための手段】
本発明に係る編集装置は、上述の課題を解決するために、圧縮符号化された映像信号を含むデータが転送される内部バスと、所定のアナログ映像信号規格で規定される映像の１水平ラインをなす期間内で伝送可能なデジタルデータの伝送単位となるデータ量を複数に分割し、分割されたデータ量を有する各領域の少なくとも１つのデータ領域に上記圧縮映像信号を含むデータを配置させ、上記伝送単位を上記所定のアナログ映像信号規格の同期信号に同期させ、上記少なくとも１つのデータ領域に配置された上記圧縮映像信号を含むデータを上記内部バス上に内部転送データとして転送されるよう制御するデータ転送制御部とを備える。
【０００８】
このデジタルデータ伝送方法によれば、映像データと音声データを同期させて高速に伝送することができ、しかもデジタルＶＴＲ等のデジタルデータ記録手段により記録されるデータフォーマットと整合性を保つことができる。
【０００９】
また、本発明に係るデータ伝送方法は、上述の課題を解決するために、所定のアナログ映像信号規格で規定される映像の１水平ラインをなす期間内で伝送可能なデジタルデータの伝送単位となるデータ量を複数に分割する第１のステップと、上記第１のステップで分割されたデータ量を有する各領域の少なくとも１つのデータ領域に上記圧縮映像信号を含むデータを配置させ、上記伝送単位を上記所定のアナログ映像信号規格の同期信号に同期させ、上記少なくとも１つのデータ領域に配置された上記圧縮映像信号を含むデータを内部バスに内部転送データとして転送する第２のステップとを有する。
【００１０】
このデータ編集装置によれば、編集素材を記憶する複数の記録手段を備え、上記複数の記録手段に記憶された素材データを高速伝送により入出力することができ、さらに、これらのデータ全体を別の映像データに同期させて入出力することができるため、迅速かつ効率的に編集作業を行うことができる。
【００１１】
【発明の実施の形態】
以下に、本発明のデジタルデータ伝送方法、およびそれを適用したデータ編集装置の好ましい実施の形態について、図面を参照しながら説明する。以下では、まず、本発明のデジタルデータ伝送方法を適用したデータ編集装置について説明し、そのデータ編集装置の動作を参照しながら本発明のデジタルデータ伝送方法について説明するものとする。
【００１２】
図１は、本発明のデジタルデータ伝送方法を適用したデータ編集装置の主要部の構成例を示すブロック図である。このデータ編集装置は、各々バッファを介してデータバス３０に接続された、スイッチャ／デジタルマルチエフェクタ１３，オーディオミキサ１７，４台のディスクドライブ１８ａ〜１８ｄ，および入力端子３２，出力端子３３を備えている。このデータ編集装置は、さらに、上記の各部の動作を制御するメインＣＰＵ２０およびサブＣＰＵ２１，データ伝送のタイミング等を制御するデータ転送コントローラ２２等を備え、こられはコントロールバス３１により互いに接続されている。
【００１３】
以下に、このデータ編集装置の各部について説明する。
【００１４】
バッファ１〜１１は、データバス３０上で転送されるデータを一時的に蓄積し、データコントローラ２２の制御により、所定のタイミングで入出力するためのものである。このバッファについては、後述する。
【００１５】
ビデオデータ伸長部１２ａおよび１２ｂは、それぞれバッファ２および３を介してデータバス３０から所望の圧縮ビデオ（映像）データを取り出し、それらを伸長してスイッチャ／デジタルマルチエフェクタ１３に供給するためのものである。スイッチャ／デジタルマルチエフェクタ１３では、少なくとも２つの映像データを切り換えたり、接続したりするため、このビデオデータ伸長部１２は、少なくとも２つ以上設けられるのが通常である。
【００１６】
スイッチャ／デジタルマルチエフェクタ１３は、複数のビデオデータを切り換えたり、各種の映像効果を付与したりするためのものであり、編集作業を行う際に、編集者が操作する部分である。
【００１７】
ビデオデータ圧縮部１４は、スイッチャ／デジタルマルチエフェクタ１３で所望の映像処理が施されたビデオデータを圧縮して、バッファ１を介してデータバス３０に送出するためのものである。
【００１８】
オーディオ（音声）データ出力プロセス部１５ａおよび１５ｂは、それぞれバッファ５および６を介してデータバス３０から所望のオーディオデータを取り出し、それらをオーディオミキサ１６に供給するためのものである。オーディオミキサ１６では、少なくとも２つの音声データを混合したり、切り換えたりするため、このオーディオデータ出力プロセス部１５は、少なくとも２つ以上設けられるのが通常である。
【００１９】
オーディオミキサ１６は、複数のオーディオデータを混合したり、各種の音響効果を付与したりするために、編集者が操作する部分である。
【００２０】
オーディオデータ入力プロセス部１７は、オーディオミキサ１６で音響処理が施されたオーディオデータを、バッファ４を介してデータバス３０に送出するためのものである。
【００２１】
ディスクドライブ１８ａ〜１８ｄは、映像データおよび音声データを一時的にハードディスクに記録するものである。一般には、磁気ディスクドライブが使用される。
【００２２】
このデータ編集装置は、映像データを、４台のディスクドライブ１８ａ〜１８ｄのうちの２台または３台に分割して記録することができる。このときのデータ分割方法については後述する。
【００２３】
ＳＰＣ１９ａ〜１９ｄは、ディスクドライブ１８ａ〜１８ｄに記録／再生される映像データおよび音声データの入出力を制御するデバイスコントローラであり、例えばＳＣＳＩプロトコルコントローラ（ＳＰＣ）等である。
【００２４】
上記のディスクドライブ１８ａ〜１８ｄは、各々ＳＰＣ１９ａ〜１９ｄおよびバッファ７〜１０を介して、データバス３０に接続される。また、ＳＰＣ１９ａ〜１９ｄおよびバッファ７〜１０は、コントロールバス３１に接続されている。
【００２５】
メインＣＰＵ２０，サブＣＰＵ２１は、このデータ編集装置の各部の動作を制御するためのものであり、ともにコントロールバス３１に接続されている
データ転送コントローラ２２は、データバス３０とコントロールバス３１の間に接続され、メインＣＰＵ２０およびサブＣＰＵ２１からのデータ転送制御情報に基づいて転送制御コマンドを発生し、データバス３０に供給する。データバス３０上で転送されるデータは、この転送制御コマンドにより各バッファから所定のタイミングで入出力される。
【００２６】
インタフェース部２３，２４は、共にコントロールバス３１上に設けられ、各部の間で送受される制御データのインタフェースとなる部分である。
【００２７】
シリアル／パラレル変換部２６は、入力端子３２から入力されるシリアルデータをパラレルデータに変換するためのものである。
【００２８】
ゲート２７は、シリアル／パラレル変換部２６からのデータを所定のタイミングでデータバス３０に送出するためのものである。
【００２９】
ゲート２８は、データバス３０から抜き取られた所望のデータを、パラレル／シリアル変換部２８に供給するためのものである。
【００３０】
パラレル／シリアル変換部２９は、ゲート２８からのデータをシリアルデータに変換して出力端子３３から出力するためのものである。
【００３１】
図２は、映像データが、図１の４台のディスクドライブ１８ａ〜１８ｄのうちの複数台に分割して記録される様子を示しており、斜線部が実データ領域に相当する。このデータ配置は、所定のアナログ映像信号規格で規定される１水平ラインをなす期間と等しい長さを有する伝送単位を複数に分割した各タイムスロットのビデオデータを、複数のハードディスクドライブとの間で分割転送しやすいように考慮されたものである。
【００３２】
すなわち、前述のバッファのアドレス制御を容易にするためには、１ラインあたりのデータ量を２５６バイトとすれば都合が良いが、圧縮映像信号の最小単位が４００バイトのために、１ライン当たり２５６バイトの転送データ量とは整合性が悪くなってしまう。図２のデータ配置は、この問題を解決し、かつデータバス３０上で２台または３台のディスクドライブに対して、映像データの分割転送を切れ目良く行えるようにするものである。
【００３３】
なお、図２中の数字は、走査線数５２５本／６０フィールド方式に従う映像データのデータ量を示しており、かっこ内の数字は走査線数６２５本／５０フィールド方式の場合のデータ量を示している。
【００３４】
図２（ａ）は、本発明のデータ編集装置で、映像データを上記の４台のディスクドライブのうちの３台、例えばディスクドライブ１８ａ〜１８ｃに等分割して記録する場合のデータ分割方法を示している。上記の４台のディスクドライブのうちの残り１台であるディスクドライブ１８ｄには、音声データが記録される。
【００３５】
１画面（フレーム）を構成する映像データは３等分される。すなわち、映像データは４１，４２ａおよび４２ｂ，４３に分割される。ここで、映像データ４１と４２ａのデータ量、および映像データ４３と４２ｂのデータ量は２：１とされる。具体的には、走査線数５２５本／６０フィールド方式に従う映像データでは、ディスクドライブ１８ａに記録される映像データ４１、およびディスクドライブ１８ｃに記録される映像データ４３は、各々９０×４００＝３６０００バイト（Bytes ）であり、１４１ラインで構成される。また、ディスクドライブ１８ｂに記録される、映像データ４２ａおよび４２ｂは、各々４５×４００＝１８０００バイトであり、７１ラインで構成させる。なお、かっこ内の数字は、走査線数６２５本／５０フィールド方式の場合を示している。
【００３６】
また、図２（ｂ）は、映像データを上記の４台のディスクドライブのうちの２台、例えば、ディスクドライブ１８ａ，１８ｂに等分割して記録する場合のデータ分割方法を示している。この場合には、１フレームをなす映像データが２等分されて記録される。すなわち、映像データ４１および４２ａがディスクドライブ１８ａに記録され、映像データ４２ｂおよび４３がディスクドライブ１８ｂに記録される。
【００３７】
上述のデータ編集装置の内部では、映像データは帯域圧縮されて記録／再生され、転送される。この帯域圧縮は、ＤＣＴ（離散コサイン変換）とＶＬＣ（可変長符号化）を基本とする圧縮符号化によるものであり、画面を構成する隣接画素間の相関が強いことを利用して空間的冗長度と時間的冗長度を削減するものである。以下に、この圧縮符号化の手順の概略について、図３を参照しながら説明する。
【００３８】
入力された映像データは、まず、ＤＣＴブロック化＆シャフリング部５１で、ブロック化とシャフリングが施される。１フレーム分の映像データは、ＤＣＴを行う際の基本単位となる（８×８）のブロックに分割されてブロック化される。このブロックは、マクロブロックと呼ばれ、後述する離散コサイン変換により、各々所定のビット数まで圧縮される。そして、画面上の各部を構成するマクロブロックは、所定のルールに従ってシャッフルされ、画面内の情報量が均一になるようにされ、ＤＣＴ部５２に送られる。
【００３９】
離散コサイン変換（ＤＣＴ）部５２では、直交変換の一種である離散コサイン変換が施される。この離散コサイン変換により、映像データの画素値は非相関化され、周波数軸上に変換される。なお、このとき、マクロブロックは固定ブロック長とされている。全てのブロックが離散コサイン変換された映像データは、一旦バッファに格納され、データ量推定部５３と適応量子化部５４に送られる。
【００４０】
データ量推定部５３では、上記の離散コサイン変換された全ブロックがバッファに格納されている間にデータ量の推定を行い、そのデータのセグメントを量子化する量子化器が選択される。具体的には、１６種類の量子化器を用意しておき、その中から適当な量子化器番号（Ｑナンバ）をもつ１つの量子化器を選択する。また、後述する可変長符号は、得られた係数に対して所定の符号を割り当てるだけで符号量の制御ができないため、この量子化が符号量制御手段となる。このデータ量推定結果は、適応量子化部５４に供給されて適応量子化に用いられる。
【００４１】
適応量子化部５４では、画面上で細精度が高い部分は粗く量子化しても目立たず、滑らかに変化する部分は量子化ひずみが目立ち易いというような視覚上の特性を考慮して、異なる量子化のステップを用いる適応量子化が行われる。これは、ビデオデータのセグメント内の各ブロックを４種類にクラス分けして、そのクラス番号により量子化器を構成する異なる量子化ステップを割り当てることにより行われる。これにより、細精度が低いブロックへのビット割当を多くして画質を向上させることができる。
【００４２】
可変長符号化部５５では、上述のデータ量推定に基づいて可変長符号化が行われる。すなわち、データ量推定部５３で量子化器番号が選択されると、バッファに蓄積されていたデータセグメントは、この量子化器番号により量子化され、その後可変長符号化される。
【００４３】
この可変長符号化は、具体的には、ハフマン符号化と呼ばれるものであり、量子化された各係数をジグザグスキャンし、係数が零のランレングスと、それに続く非零係数の値の組に対して、予めテーブル上に用意された符号を割り当てるものである。
【００４４】
次に、上記のデータ編集装置において、入力端子３２および出力端子３３から入出力される映像データのフォーマットについて、図４を参照しながら説明する。
【００４５】
このフォーマットは、圧縮されていない原映像データ，圧縮符号化された映像データ，音声データ，制御情報等を伝送できるものである。
【００４６】
図４は、所定のアナログ映像信号規格で規定される１水平ラインをなす期間と等しい長さを有する伝送単位を複数に分割した各タイムスロットに、複数チャネルの映像データが配置される様子を示している。
【００４７】
図４（ａ）に示すように、映像データが配置される領域に先立って、ＥＡＶ（エンドオブアクティブビデオ）領域６０が設けられる。ＥＡＶ領域６０の次には補助信号領域６１が設けられる。補助信号領域６１の次にはＳＡＶ（スタートオブアクティブビデオ）領域６２が設けられる。ＳＡＶおよびＥＡＶは、それぞれ１６進数信号の（３ＦＦ，０００，０００，ＸＹＺ）ｈの各ワードにより構成されている。ＥＡＶ領域６０、補助信号領域６１およびＳＡＶ領域６２は、走査線数５２５本／６０フィールド方式では２７６ワード（Words ）からなり、走査線数６２５本／５０フィールド方式では２８８ワードからなる。
【００４８】
ＳＡＶ領域６２の次には、図４（ｂ）に示す映像データを含む領域が設けられる。このデータ領域には、映像信号を高能率圧縮符号化したデジタル映像データが配置される。この領域の先端部には、セパレータ（スタートコード）６６，タイプ６７，ワード６８からなる６ワードのデータヘッダ領域が設けられる。なお、このデータヘッダ領域は、走査線数５２５本／６０フィールド方式では１２ライン目のみに、走査線数６２５本／５０フィールド方式では８ライン目に設けられる。データヘッダが設けられる領域に続いて、この伝送方式のインタフェースを示す１０ワードからなるヘッダ領域が設けられる。このインタフェースヘッダ領域は、データの転送速度を表す１ワードの情報６９と、フォーマットとしてＶＴＲ等のステータス情報を書き込むことが可能な９ワードのリザーブ領域７０からなる。そして、このインタフェースヘッダ領域に続いて、各々２８０クロック（Clocks）からなる５つのデータ領域６３ａ〜６３ｅおよび２２ワードのリザーブ領域６４が設けられる。上記のスタートコード６６〜リザーブ領域７０までのヘッダ領域と、データ領域６３ａ〜６３ｅおよびリザーブ領域６４からなる領域はペイロード領域と呼ばれる。データ領域６３ａ〜６３ｅは、各々２５６バイト（Bytes ）からなる有効データ領域と、２４バイトからなるリザーブ領域からなる。
【００４９】
ペイロード領域の次には、２ワードのＣＲＣ領域６５が設けられる。このＣＲＣ領域６５は、図示しないＣＲＣＣ（サイクリックリダンダンシーチェックコード）０，ＣＲＣＣ１領域からなる。なお、このＣＲＣＣ０，ＣＲＣＣ１は、次のようなものである。すなわち、伝送される情報フレームに対して、ある割算を行った結果として得られる剰余項を付加して送信する。受信端では、受信信号に対して同様の演算を行って得られる剰余項を、送られてきた剰余項と突き合わせることによって、伝送誤りをチェックする。この割算には、生成多項式を用いる。
【００５０】
ペイロード領域およびＣＲＣ領域６５は、走査線数５２５本／６０フィールド方式および走査線数６２５本／５０フィールド方式において、共に１４４０ワードからなる。従って、ＥＡＶ領域６０、補助信号領域６１およびＳＡＶ領域６２に、ペイロード領域およびＣＲＣＣ０，ＣＲＣＣ１領域を加えた領域は、走査線数５２５本／６０フィールド方式では１７１６ワードからなり、走査線数６２５本／５０フィールド方式では１７２８ワードからなる。
【００５１】
また、上述の補助信号領域６１には、図４（ｃ）に示すように、アンシラリデータフラグ７２，データＩＤ７３，ブロックナンバ７４，データカウント７５，ラインナンバ７６，ラインナンバＣＲＣＣ７７，コード（０１ｈ）７８，デスティネーションアドレス７９，ソースアドレス８０，ブロックタイプ（Ｃ１ｈ；可変長）８１，ＣＲＣフラグ８２，データスタートポジション８３，リザーブ領域８４，ヘッダＣＲＣＣ８５，チェックサム８６が設けられる。
【００５２】
上記のアンシラリデータフラグ７２は、１６進数信号の（０００，３ＦＦ，３ＦＦ）ｈの３ワードからなるコードである。データＩＤ７３は、補助信号の中身を示す。例えば、ディジタルオーディオデータ、タイムコード、エラー検出コード等である。ブロックナンバ７４は、データパケットの連続性を検出するものであり、データカウント７５は、補助信号の中のユーザーデータのワード数をカウントするものである。ラインナンバ７６は、１〜５２５（６２５）までのいずれかの水平ライン（走査線）番号を示す。デスティネーションアドレス７９は、データの送り先のアドレスを示すものであり、ソースアドレス８０は、データの送り元のアドレスを示すものである。
【００５３】
なお、図４中の数字は、走査線数５２５本／６０フィールド方式の場合のデータ量（ワード）を示し、かっこ内の数字は走査線数６２５本／５０フィールド方式の場合を示している。
【００５４】
図５は、上記のインタフェースヘッダ領域のビット配置を示している。Ｂｙｔｅ１およびＢｙｔｅ２は、このインタフェースに固有の情報を記録する領域である。Ｂｙｔｅ３〜Ｂｙｔｅ１０は、このようなフォーマットに従うデジタルＶＴＲの規格に関する情報が記録されるリザーブ領域である。
【００５５】
ＴＹＰＥ９１は、インタフェースヘッダ領域とペイロード領域の内容を示している。具体的には「００００ ００００」と「００００ ０００１」のいずれかの値が使用される。前者は初期コードを示し、後者はデータの転送速度やペイロード領域の５つのスロットの割り当て等を定義する際に使用される。
【００５６】
リザーブ領域９２は、「００」とされ、使用されない。
【００５７】
ＶＩＤＥＯ  ＩＮＶＡＬＩＤ９３は、ペイロード領域の映像データの有効性を示す情報であり、有効な場合には０を、無効である場合には１を割り当てる。
【００５８】
ＡＵＤＩＯ  ＩＮＶＡＬＩＤ９４は、ペイロード領域の音声データの有効性を示す情報であり、有効な場合には０を、無効である場合には１を割り当てる。
【００５９】
リザーブ領域９５は、使用されない。
【００６０】
ＴＲＡＮＳＦＥＲ  ＭＯＤＥ９６は、０００〜１１１までを用いて、ペイロードのデータの有効性や、転送速度を割り当てる。
【００６１】
図６は、上記のデータ編集装置と外部機器との間で転送されるデータのフォーマットを示している。これは、図４に示したフォーマットの映像データおよび音声データ等を、アナログ映像信号規格の１フレームに相当するライン数に亘って垂直方向に配置したものに相当する。なお、図６の右端の数字は、走査線数５２５本／６０フィールド方式（かっこ内は走査線数６２５本／５０フィールド方式）の場合のライン数を示している。
【００６２】
このフォーマットは、フレーム０からフレーム４までの５チャネルのデータを転送できるものであるが、ここではフレーム０についてのみデータ配置を示している。フレーム１からフレーム４についても、フレーム０と同一のデータ配置を有している。
【００６３】
圧縮された映像データは、圧縮ビデオデータ１，圧縮ビデオデータ１０２ａおよび１０２ｂ，圧縮ビデオデータ１０３に分割されて配置される。この配置は、図２に示した、３台のディスクドライブに等分割して記録する場合のデータ分割方法と同様である。
【００６４】
このフォーマットによりデータを転送する際には、フレーム０からフレーム４までの任意のフレームのみを使用してもよく、５つのフレーム全てを互いに異なる５系統のデータを転送するために使用してもよい。また、図５に示したインタフェースヘッダ領域のビット配置において、Ｂｙｔｅ２のＴＲＡＮＳＦＥＲ  ＭＯＤＥ９６により転送速度を指定することができる。これは具体的には、１系統の信号を転送するために複数のフレームを使用することにより、見かけの転送速度を１（ノーマル）倍速，２倍速，３倍速，４倍速，５倍速の５段階に指定することができるものである。例えば、１系統の信号を２フレーム分を使用して転送する場合には、２倍の転送速度が得られることになる。
【００６５】
図１のデータ編集装置の内部では、例えば、約１／５に圧縮された映像データが転送されることを想定しており、見かけの転送速度を最大５倍速まで高めることができる。通常は、データ編集装置に接続されて、素材データを記録／再生するために使用される図示しないデジタルＶＴＲ等のデータ転送速度に合わせて内部の転送速度を制御する。例えば、４倍速でデータの転送を行うことができるデジタルＶＴＲを使用する場合には、フレーム０からフレーム３までの４つのフレームを用いて、データバス３０上で映像データを実質的に４倍速で転送することができる。このようなデジタルデータ伝送方法によれば、４倍速の転送速度を得ながら、映像データと音声データを同期させることができ、さらにこれらのデータ全体を別の映像データに同期させることができるため、容易に編集点を一致させることができる。
【００６６】
図７は、図１に示したデータ編集装置内のデータバス３０上で、データを転送する際のデータのフォーマットを示している。この転送フォーマットは、図６に示した、上記のデータ編集装置と外部機器との間のデータ転送フォーマットに基づいており、互換性を有するものである。なお、図７の右端の数字は、走査線数５２５本／６０フィールド方式（かっこ内は走査線数６２５本／５０フィールド方式）の場合のライン数を示している。
【００６７】
このフォーマットは、フレーム０からフレーム４までの５チャネルのデータを転送できるものであるが、ここではフレーム０についてのみデータ配置を示している。フレーム１からフレーム４についても、フレーム０と同一のデータ配置を有している。
【００６８】
圧縮された映像データは、圧縮ビデオデータ２０１，圧縮ビデオデータ２０２ａおよび２０２ｂ，圧縮ビデオデータ２０３に分割されて配置される。この配置は、図２に示した、３台のディスクドライブに等分割して記録する場合のデータ分割方法と同様である。
【００６９】
しかし、図６のフォーマットは、データをシリアル転送するものであるのに対し、図７のフォーマットでは１６ビットでパラレル転送するものである点が異なっている。また、データ領域に先立って、転送制御コマンドデータが配されている点でも異なっている。
【００７０】
図８は、図１のデータ編集装置の内部で、図７のフォーマットに従って、複数チャネルの映像・音声データを、データバス３０に接続された各部の間で転送するための転送制御コマンドの構成を示している。
【００７１】
前述のように、このデータ編集装置の内部では、データバス３０を介して５チャネルまでのデータを転送できる。このとき、データバス３０に接続された各部の間では、図８のデータ転送フォーマットに基づいてデータの入出力制御が行われる。これにより、圧縮ビデオデータ，オーディオデータ，オーディオ付加情報（ＡＡＵＸ），ビデオ付加情報（ＶＡＵＸ），サブコード情報（ＳＣ）等が、データバス３０に接続された各部の間で転送される。
【００７２】
このデータバス３０は、同期転送式のバスであり、リファレンス（基準）とする映像データに同期して転送動作を行う。データバス３０上のデータ転送動作は、基準とする映像データの１水平期間毎に、データ転送コントローラ２２により制御される。すなわち、データ転送コントローラ２２は、転送制御コマンドを発生し、データバス３０に接続された各部は、上記の転送制御コマンドにより指定されるタイムスロット（毎水平ブランキング期間）を使用して、転送元，転送先，転送の開始／終了を示す転送制御コマンドを送受する。このとき、データバス３０に接続された各バッファは、この転送制御コマンドを受信して、指定されたタイミングでデータバス３０上にデータを出力し、あるいはデータバス３０上のデータを入力する。
【００７３】
具体的には、５スロットからなるデータ転送領域３０２に先立つ転送制御コマンド領域３０１を用いて、各スロットの入出力タイミングが指定される。ここで、各バッファには、各々を指定するための番号が予め設定されているものとする。
【００７４】
バッファ１に対するタイミングの指定は、転送制御コマンド領域３０１ａにより行う。この領域３０１ａにより、バッファ１における第１スロットから第５スロットまでのデータの入出力タイミングが順次指定される。バッファ２に対するタイミングの指定は、転送制御コマンド領域３０１ｂにより行う。この領域３０１ｂにより、バッファ２における第１スロットから第５スロットまでのデータの入出力タイミングが順次指定される。
【００７５】
同様にして、バッファ３に対するタイミングの指定は、転送制御コマンド領域３０１ｃにより、・・・、バッファ１１に対するタイミングの指定は、転送制御コマンド領域３０１ｋにより順次行われる。
【００７６】
上記の各バッファ１〜１１は、２つのメモリバンクで構成され、一方のバンクで受信中に、他方のバンクでは次に受信するべきデータをメモリに取り込む動作を行い、次のバンク切り換えを待つ。
【００７７】
また、転送制御コマンドの内容は、データの送信／受信／No Operateion の設定とメモリバンクの切り換え制御情報である。例えば、４倍速でデータバス３０にデータを出力するときには、第１スロットから第４のスロットに送信動作を行わせるコマンドを送り、第５スロットにはNo Operateion のコマンドを送ればよい。
【００７８】
なお、以上では、フレーム０からフレーム４までの５つのチャネルを用いて、データを一方向に伝送する場合を例として説明したが、例えば、フレーム０およびフレーム１を入力用に使用し、フレーム２からフレーム４を出力用に使用することも可能である。従って、図１の編集装置内部で素材データの転送を行いながら、ＶＴＲ等の外部映像機器との間でデータを入出力することが可能となる。
【００７９】
【発明の効果】
以上説明したように、本発明のデジタルデータ伝送方法によれば、映像データと音声データを同期させて高速伝送することができ、しかもデジタルＶＴＲ等のデジタルデータ記録手段により記録されるデータフォーマットと整合性を保つことができる。
【００８０】
また、本発明のデータ編集装置によれば、編集素材を記憶する複数の記録手段を備え、上記の複数の記録手段に記憶された素材データを高速伝送により入出力することができ、さらに、これらのデータ全体を別の映像データに同期させて入出力することができるように構成したため、迅速かつ効率的に編集作業を行うことができる。
【図面の簡単な説明】
【図１】本発明のデジタルデータ伝送方法を適用したデータ編集装置の主要部の構成例を示すブロック図である。
【図２】２台または３台のディスクドライブにデジタル映像データを分割転送する場合のデータ分割方法を説明するための図である。
【図３】デジタル映像信号の圧縮符号化の手順を説明するためのブロック図である。
【図４】伝送されるデジタル映像データの伝送単位の構造を示す図である。
【図５】上記のデジタル映像データのヘッダ部の構造を示す図である。
【図６】上記のデータ編集装置と外部機器との間で転送されるデータのフォーマットを示す図である。
【図７】上記のデータ編集装置の内部で転送されるデータのフォーマットを示す図である。
【図８】受器のデータ編集装置の内部におけるデータ転送制御用のコマンドの構成について説明するための図である。
【符号の説明】
１，２，３，４，５，６，７，８，９，１０，１１  バッファ、  １２ａ，１２ｂ  ビデオデータ伸長部、  １３  スイッチャ／デジタルマルチエフェクタ、  １４  ビデオデータ圧縮部  １５ａ，１５ｂ  オーディオデータ出力プロセス部、  １６  オーディオミキサ、  １７  オーディオデータ入力プロセス部、  １８ａ，１８ｂ，１８ｃ，１８ｄ  ディスクドライブ、  １９ａ，１９ｂ，１９ｃ，１９ｄ  デバイスコントローラ（ＳＰＣ），  ２０  メインＣＰＵ、  ２１  サブＳＰＵ、  ２２  データ転送コントローラ、  ２３，２４  インタフェース部、  ２６  シリアル／パラレル変換部、  ２７，２８  ゲート、  ２９  パラレル／シリアル変換部、  ３０  データバス、  ３１  コントロールバス、  ３２  入力端子、  ３３出力端子
【図１】
0004404233.tif 000002
【図２】
0004404233.tif 000003
【図３】
0004404233.tif 000004
【図４】
0004404233.tif 000005
【図５】
0004404233.tif 000006
【図６】
0004404233.tif 000007
【図７】
0004404233.tif 000008
【図８】
0004404233.tif 000009